(57)【要約】【課題】  乗用型茶園管理機に装着することで施肥作業と一体的に中耕作業が行えるようにする。【解決手段】  現在普及されている乗用型茶園管理機の施肥機後部に，新考案の中耕機を接続することで一体的に中耕を行えるようにする。乗用型茶園管理機の推進力及び油圧もしくは重量による鎮圧力を利用する小型な自由回転式の中耕機を接続することにより施肥と同時作業が可能となり少ない設備投資で作業の省力化が果たせる。【選択図】図１
0003111352.tif 000002
【実用新案登録請求の範囲】
【請求項１】
既存の乗用型茶園管理機に装着するコンパクトな中耕機で，自身は動力を持たない自由回転方式によって乗用型管理機械の推進力と乗用型茶園管理機械の油圧もしくは重量による鎮圧力を利用して茶園の畝間を施肥作業と同時に中耕することが可能なもの。
【考案の詳細な説明】
【考案の詳細な説明】
【技術分野】
【０００１】  本考案の中耕機は，茶樹栽培の機械化が進む中で，現在普及されている乗用型茶園管理機に簡単に装着することで省力的に耕耘（中耕）が行え，特に乗用型茶園管理機による施肥作業と同時に行うことで高い効果が期待できる。なお構造は自身の動力を持たないコンパクトなものである。
【考案が解決しようとする課題】
【０００２】  茶園の管理作業は人手によるものから徐々に機械化が進んでいる。現在鹿児島県においては摘採，防除，堆肥散布，肥料散布，せん枝，深耕作業等において乗用型機械の導入が進んでいる。一方，茶園の耕耘（中耕）については歩行型の管理機による作業が一般的で乗用型茶園管理機を利用した作業の普及はあまり進んでいない。
【課題を解決するための手段】
【０００３】  通常中耕作業は施肥後に行うことが多い。既存の乗用型茶園管理機による施肥作業に着目して，その後部に新考案の中耕機を接続することで一体的な作業が可能となる。このような中耕機は小型であることが望ましい。このため耕耘方式は自身の動力を持たず，乗用型管理機械の推進力及び油圧もしくは重量による鎮圧力を利用する目的で自由回転式ロータリーホーを採用した。▲１▼取り付けアタッチ部で乗用型茶園管理機と接続させる。乗用型茶園管理機が茶園を走行することで，その推進力と乗用型茶園管理機自身の重量または油圧による鎮圧力により▲２▼ロータリーホー回転部が自由回転し，▲３▼ロータリーホー歯部により茶園の耕耘（中耕）を行う。このとき付着する土等による空回りを防止するため▲４▼土落とし前部及び▲５▼土落とし後部により土落としを行う。また耕耘面（中耕面）の凹凸による物理的障害から保護する目的で▲６▼サスペンション機能部分を有している。また▲３▼ロータリ歯部の長さが異なる▲２▼ロータリホー回転部を取り替えることで，耕耘の深さを浅く調節することが可能である。
【考案の効果】
【０００４】  作業を乗用型機械での施肥作業と一体化することで作業能率の向上及び労力低減がはかられる。また自身の動力を持たない簡易な機械であるため導入に関する設備投資は少なく，コンパクトであるので乗用型茶園管理機の旋回等の作業への影響が少ない。また施肥直後に作業が行えることは中耕の効果が高いと期待できる。
【図面の簡単な説明】
【図１】本体側面を示した平面図である。
【図２】本体前面を示した平面図である。
【図３】本体後面を示した平面図である。
【符号の説明】
▲１▼  取り付けアタッチ部
▲２▼  ロータリーホー回転部
▲３▼  ロータリーホー歯部
▲４▼  土落とし前部
▲５▼  土落とし後部
▲６▼  サスペンション機能部分
【図１】
0003111352.tif 000003
【図２】
0003111352.tif 000004
【図３】
0003111352.tif 000005
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
既存の乗用型茶園管理機に接続し，自らの動力源を必要としない中耕機である。同機は，図面に示すように▲２▼ロータリーホー回転部から上方にのびた▲１▼取り付けアタッチ部において乗用型茶園管理機の後部と接続固定させる。乗用型茶園管理機が施肥作業のため茶園を走行することで，乗用型茶園管理機の推進力と乗用型茶園管理機の油圧または管理機に装着した施肥機の重量による鎮圧力を利用して▲１▼取り付けアタッチ部下と▲２▼ロータリーホー回転部の円筒部で回転できる構造により▲２▼ロータリーホー回転部が自由回転し，▲３▼ロータリ−ホー歯部により茶園の耕耘（中耕）を行う。このとき付着する土等による空回りを防止するためヘラ状の▲４▼土落とし前部及び▲５▼土落とし後部により耕耘時の土落としを行う。また耕耘面（中耕面）の凹凸や乗用型茶園管理機の方向変換等による物理的障害から保護する目的で▲１▼取り付けアタッチ部と▲２▼ロータリーホー回転部は▲６▼サスペンション機能部分と▲１▼取り付けアタッチ部の下部において，上下，左右に動く構造となっている。以上のとおり乗用型管理機に装着し，茶園の畝間を施肥作業と同時に耕すことができる中耕機。
【手続補正書】
【提出日】平成16年11月2日(2004.11.2)
【手続補正１】
【補正対象書類名】実用新案登録請求の範囲
【補正対象項目名】全文
【補正方法】変更
【補正の内容】
【実用新案登録請求の範囲】
【請求項１】
茶畝を挟んだ２本の走行装置を門型枠でつないだ乗用型茶園管理機械の後方に容易に脱着でき，自身は動力を持たずに茶園管理機械の前方への推進力により自由に回転することで茶園の畝間を耕耘する中耕機。
【請求項２】
茶畝を挟んだ２本の走行装置を門型枠でつないだ乗用型茶園管理機械の油圧と重量による鎮圧力を利用して茶園の畝間に耕耘爪を没入させる請求項１の中耕機。
【請求項３】
耕耘時に土及び切り枝やしき草等の残さの付着を取り除く排除装置を備えた請求項１の中耕機
【請求項４】
取り付け部の下に首振り構造を有した請求項１の中耕機。
【請求項５】
取り付け部と中耕機本体の間にサスペンション構造を有した請求項１の中耕機。
【請求項６】
耕耘爪が付いた回転部を脱着することのできる請求項１の中耕機。
【手続補正２】
【補正対象書類名】明細書
【補正対象項目名】全文
【補正方法】変更
【補正の内容】
【考案の詳細な説明】
【考案の詳細な説明】
【０００１】
【技術分野】本考案の中耕機は，茶樹栽培の機械化作業体系に関するものである。【０００２】
【背景技術】茶園の管理作業は人手によるものから徐々に機械化が進んでいる。現在鹿児島県においては摘採，防除，堆肥散布，肥料散布，せん枝，深耕作業等において乗用型機械の導入が進んでいる。しかしながら茶園の耕耘については歩行型の管理機による作業が一般的で乗用型茶園管理機を利用した作業の普及は進んでいない。【０００３】
【考案が解決しようとする課題】
茶園作業の機械化が進む中で，現在普及されている茶畝を挟んだ２本の走行装置を門型枠でつないだ乗用型茶園管理機に簡単に装着することで省力的に耕耘が行え，特に乗用型茶園管理機による施肥作業と同時に行うことで高い耕耘効果を発揮し，なお構造は自身の動力を持たないコンパクトなサイズであることにより乗用型茶園管理機の旋回等への影響が少なく，耕耘面にある切り枝及びしき草等の障害物や耕耘面の凹凸に対応した機能を持ち，かつ耕耘の深さを調節できる機能を持つ中耕機を提供すること。
【０００４】
【課題を解決するための手段】
上記課題を解決するため，本考案は次のようなものである。
【０００５】既存の茶畝を挟んだ２本の走行装置を門型枠でつないだ乗用型の茶園管理機械において，その後部に自由に回転する耕耘爪を持つ中耕機を接続させる。
【０００６】請求項２の考案によれば，既存の茶畝を挟んだ２本の走行装置を門型枠でつないだ乗用型の茶園管理機械後部に接続させることで乗用型の茶園管理機械の自重及び油圧による鎮圧力を利用して耕耘爪畝間に没入させる。このため耕耘の深さを一定に保つことができる。乗用型の茶園管理機械が前方に推進することに付随して耕耘爪が回転し畝間の土壌を後方に攪拌させることで畝間の耕耘を行う。
【０００７】茶畝を挟んだ２本の走行装置を門型枠でつないだ乗用型の茶園管理機械後方に既存の施肥機を接続させた場合において，さらに後部に新考案の中耕機を接続することで施肥作業と一体的な耕耘が可能で乗用型の茶園管理機械の旋回にも支障が少ないコンパクトなサイズである。
【０００８】請求項３の考案によれば，耕耘時に土及び整枝された畝間上の切り枝やしき草等の残さが耕耘爪及び回転部に付着した場合，乗用型茶園管理機の前進に伴う回転が停止し円滑な耕耘ができないおそれがある。このため排除装置を取り付ける必要がある。この排除装置を取り付けるために，本考案の中耕機の耕耘爪は円筒形状のドラムの回転方向に対して縦に複数列並ぶように溶接する。排除装置は湾曲したヘラ形状の先端が先述の耕耘爪の列間に入るように取り付ける。このことで耕耘爪の回転に伴う土の付着と畝間上にある切り枝やしき草等の残さが巻き込みを排除し，耕耘爪及び回転部の回転が停止することを防止する。また後部に取り付けた排除装置は，耕耘爪が回転し畝間の土壌を後方に攪拌させる際に接触することで攪拌力を高める作用を併せ持つ。前部の排除装置も同様に付着した土及び整枝された畝間上の切り枝やしき草等の残さ等を取り除く形状を持つ。
【０００９】請求項４の考案によれば請求項１の中耕機において茶畝を挟んだ２本の走行装置を門型枠でつないだ乗用型の茶園管理機械が茶園を耕耘する際，進行中に方向を調節した場合，中耕機に対して左右方向の負荷が発生することで，中耕機の構造が破壊する危険がある。このため，耕耘爪及び回転部が取り付けアタッチ部分に対して，自由に首振りをすることができる構造を有することにより左右方向の負荷から解放され，機械の保護及び安定した耕耘を可能にする。
【００１０】請求項５の考案によると茶園の耕耘面の凹凸による縦方向の負荷を軽減するために，緩衝機能を発揮するサスペンション構造を有することで機械の保護及び安定した耕耘を可能にする。
【００１１】請求項６の考案によれば請求項１の中耕機において耕耘爪及び回転部をアタッチメントとして取り替えることで耕耘の深さが自由に選択できる。たとえば茶園の耕耘作業において時期毎に記述する。一般的に茶園の耕耘法として，冬から春においては浅く耕耘し，夏から秋にかけて深めに耕耘を行っている。このように耕耘の深さについてのニーズに応じた機能を提供することが可能となるものである。
【００１２】
【実施例】以下，本考案の実施例を図面に基づいて説明する。図１は中耕機本体の側面図である。この中耕機は取り付け部１において図８のとおり既存の茶畝を挟んだ２本の走行装置を門型枠でつないだ乗用型の茶園管理機械後部の油圧により昇降する部分または乗用型茶園管理機後部に接続された施肥機の後部において畝毎に合計２基接続させる。接続は図５に示すように乗用型茶園管理機後部もしくは施肥機後部の取り付け部分にあらかじめ取り付け部材９を溶接しておき，取り付け部１の穴と円柱状の棒状部材１０を貫入させて接続した実施例である。このため中耕機は容易に脱着できる。【００１３】図４のとおり耕耘爪３の形状は弓状に反っており乗用型茶園管理機の前進に伴い地面に対して没入しやすく，また回転に伴い後方によく攪拌されやすい形状となっている。【００１４】乗用型の茶園管理装置が茶園内において考案の中耕機を畝間へ下ろし自身の重量と油圧による鎮圧力により耕耘爪３が土中に没入する。その状態から乗用型茶園管理機が茶園を前方へ進行することで回転部２及び耕耘爪３が回転し，没入した耕耘爪３が後方へ畝間の土を攪拌する。【００１５】図１，図２，図３及び図７の排除装置前部５及び排除装置後部６の実施例について記述する。本考案の中耕機の耕耘爪３を回転部２の回転方向に対して縦に複数列並ぶように溶接し，耕耘爪３の列の隙間にヘラ状の排除装置前部５及び排除装置後部６が入るように取り付ける。排除装置後部６は本体部４の上部から耕耘爪３の爪先が回転する軌道の外側から回り込むように湾曲し，その先端が回転部２下方に近接する形状としたものである。このことで耕耘爪３の回転に伴う土の付着及び整枝された畝間上の切り枝やしき草等の残さが排除される。また，図７に示すとおり，回転部から後方に攪拌された土壌が排除装置後部６と接触し，回転部と分離される際に土壌の攪拌がさらに促進される機能を併せ持つ。また回転部２前方にも同様に，耕耘爪３の列の隙間に排除装置前部５を取り付け，先端が回転部２に近接するように取り付けることで土の付着及び整枝された畝間上の切り枝やしき草等の残さを排除する。【００１６】図６は，取り付け部１に対して耕耘爪３及び回転部２を固定する本体部４が図５にも示している首振り部１１において左右に自由に動く状態を示したものである。このため乗用型茶園管理機の方向修正の際に発生する横方向の負荷に対して本考案の中耕機の本体部４が自由な首振り動作を行う。このため本考案の中耕機が横方向の負荷から解放されることで機械保護と安定した耕耘を行う。【００１７】また茶園の畝間には凹凸が存在する。図７は茶園の凹凸に対応して中耕機の首振り部下のサスペンション軸８により耕耘爪３及び回転部２と本体部４とが自由に動く構造と，スプリングとダンパからなるサスペンション構造部７が伸縮するサスペンション構造を示している。これにより本考案の中耕機に対する上下方向の負荷が軽減され，機械保護と安定した耕耘を行うことが可能となる。【００１８】耕耘爪３及び回転部２を固定する本体部４と回転部２は回転部回転軸１２で接続され自由に回転する。本体部４と回転部２とを回転部回転軸１２部分ではずし，長さの異なる耕耘爪３を有する回転部２と交換することで容易に耕耘の深さの調整が可能である。【００１９】
【考案の効果】
作業を既存の乗用型茶園管理機械を用いた施肥作業と一体化することで作業能率の向上及び労力低減がはかられる。また自身の動力を持たない簡易な機械であるため導入に関する設備投資は少なく，コンパクトであるので乗用型茶園管理機の旋回等の作業への影響が少ない。また施肥作業と同時に耕耘作業が行えることは茶樹栽培上効果が高いと期待できる。さらに乗用型茶園管理機械が茶園を走行する際の方向修正に伴う左右の付加と耕耘面にある切り枝及びしき草等の障害物や耕耘面の凹凸に対応できる構造を持ち，かつ耕耘の深さを調節できる。
【図面の簡単な説明】
【図１】本体の側面図である。
【図２】本体の正面図（後）である。
【図３】本体の正面図（前）である。
【図４】回転部と耕耘爪の形状である。
【図５】取り付け部と取り付け部材の構造及び首振り部の構造を示した図である。
【図６】首振り部の動作状況を示した平面図である。
【図７】サスペンション構造部の動作と排除装置後部による土壌の攪拌状況を示す模式図である。
【図８】本考案の中耕機を，茶畝を挟んだ２本の走行装置を門型枠でつないだ乗用型の茶園管理機械後部に接続した場合と乗用型の茶園管理機械後部に施肥機を取り付けた施肥機の後部に接続した実施例を示す図である。
【符号の説明】
１    取り付け部
２    回転部
３    耕耘爪部
４    本体部
５    排除装置前部
６    排除装置後部
７    サスペンション構造部
８    サスペンション軸
９    取り付け部材
１０  棒状部材
１１  首振り部
１２  回転部回転軸
１３  棒状部材固定金具
【手続補正３】
【補正対象書類名】図面
【補正対象項目名】全図
【補正方法】変更
【補正の内容】
【図１】
0003111352.tif 000006
【図２】
0003111352.tif 000007
【図３】
0003111352.tif 000008
【図４】
0003111352.tif 000009
【図５】
0003111352.tif 000010
【図６】
0003111352.tif 000011
【図７】
0003111352.tif 000012
【図８】
0003111352.tif 000013